(57)【要約】【課題】編成チャンネルに係るイベント共有の有無に係る情報を利用者に利便性よく提示すること。【解決手段】チャンネル情報抽出部３０３は、入力されたデータからチャンネル情報を抽出して、チャンネル情報記憶部３１１に記憶する。チャンネル選択部３０１は、チャンネル情報記憶部３１１に記憶されたチャンネル情報を参照し、入力された操作入力の情報に基づいて受信して出力するチャンネル番号を決定する。編成チャンネル分析部３０５は、チャンネル情報記憶部３１１に記憶されたチャンネル情報および、編成チャンネルごとの放送番組に関する情報に基づいて、非イベント共有リストを生成して非イベント共有リスト記憶部３１２に記憶する。また編成チャンネル分析部３０５は、非イベント共有リストに基づいて、編成チャンネルに関する情報を提示するＯＳＤの生成をＯＳＤ生成部３０４に要求する。【選択図】  図３
2011035629.tif 000002
【特許請求の範囲】
【請求項１】
特定の物理チャンネルにおいて、複数の編成チャンネルとして放送される複数の番組データが多重化されて提供される放送データを取得する取得手段と、
前記取得手段が取得する前記放送データに多重化される前記複数の番組データのうち、選択された編成チャンネルの番組データに基づいて番組の映像を出力する出力手段と、
前記出力手段が出力する前記選択された編成チャンネルの前記番組の映像を表示している時に、前記選択された編成チャンネル以外に他の編成チャンネルがある場合、前記他の編成チャンネルに関する情報を前記映像と同時に提示する提示手段と、
を具備することを特徴とする放送受信装置。
【請求項２】
前記他の編成チャンネルに関する情報は、前記他の編成チャンネルのチャンネル番号であることを特徴とする請求項１記載の放送受信装置。
【請求項３】
前記他の編成チャンネルに関する情報は、前記他の編成チャンネルのチャンネル番号および前記他の編成チャンネルにより放送される番組の映像であることを特徴とする請求項１記載の放送受信装置。
【請求項４】
前記取得手段は、前記複数の番組それぞれに関連する複数の番組関連情報が多重化されて提供される放送データを取得し、
前記取得手段が取得する前記放送データに多重化される前記複数の番組データおよび前記複数の番組関連情報に基づいて、前記特定の物理チャンネルが有する前記複数の編成チャンネルそれぞれに対するイベント共有の状態を監視して、現在、前記イベント共有する編成チャンネルの中から特定の編成チャンネルを抽出する分析手段を具備することを特徴とする請求項２記載の放送受信装置。
【請求項５】
前記分析手段は、前記取得手段が取得する前記放送データに基づいて、番組の編成が変更されたことを検知して前記イベント共有の状態を監視することを特徴とする請求項４記載の放送受信装置。
【請求項６】
前記分析手段は、前記取得手段が取得する前記放送データを提供する前記物理チャンネルが切り替わったことを検知して、または、前記出力手段が出力する前記選択された編成チャンネルが切り替わったことを検知して、前記イベント共有の状態を監視することを特徴とする請求項４記載の放送受信装置。
【請求項７】
前記提示手段が前記選択された編成チャンネルのチャンネル番号を提示し、
前記提示手段が提示する、前記選択された編成チャンネルまたは前記他の編成チャンネルのいずれかのチャンネル番号をユーザが選択することを許可する選択手段
を具備し、
前記出力手段は、前記選択手段によって前記ユーザが選択した前記チャンネル番号の番組の映像の出力に切り替えることを特徴とする請求項５記載の放送受信装置。
【請求項８】
前記分析手段が抽出する前記特定の編成チャンネルは、前記イベント共有する編成チャンネルの中で番号が一番小さい編成チャンネルであることを特徴とする請求項７記載の放送受信装置。
【請求項９】
前記分析手段は、前記出力手段が出力する番組をイベント共有する編成チャンネルの中からの前記特定の編成チャンネルの抽出を除外することを特徴とする請求項８記載の放送受信装置。
【請求項１０】
特定の物理チャンネルにおいて、複数の編成チャンネルとして放送される複数の番組データが多重化されて提供される放送データを取得し、
取得した前記放送データに多重化される前記複数の番組データのうち、選択された編成チャンネルの番組データに基づいて番組の映像を出力し、
出力した前記選択された編成チャンネルの前記番組の映像を表示している時に、前記選択された編成チャンネル以外に他の編成チャンネルがある場合、前記他の編成チャンネルに関する情報を前記映像と同時に提示する、
ことを特徴とする放送受信方法。
【発明の詳細な説明】
【技術分野】
【０００１】
本発明は、放送データを受信する放送受信装置および放送受信方法に関し、特に、単一チャンネルで複数の番組のデータが含まれる放送データを受信する放送受信装置および放送受信方法に関する。
【背景技術】
【０００２】
近年、地上波や、衛星放送波、ケーブルネットワークなどによるデジタル放送では、特定の周波数に係る物理チャンネルで放送されるデータに、複数の番組のデータが含まれて放送されることがある。これは、“マルチ編成”や“マルチチャンネル”などと呼称されており、すなわちデジタル放送によって多チャンネル化が可能となったということである。
【０００３】
例えば、地上デジタル放送においては、１つの物理チャンネルに対して１つの高解像度の番組を放送することができる放送帯域が割当てられているが、この放送帯域を２〜３つの帯域となるように分割して、この分割されたそれぞれの帯域によって放送することができる解像度の番組が複数放送される。
【０００４】
そして、このような特定の物理チャンネルで放送される複数の番組は、物理チャンネルの下の階層のチャンネルである編成チャンネルに対応付けられる。なお、マルチ編成における編成チャンネルそれぞれで同時に放送される複数の番組は、それぞれが同じものであったり（すなわちイベント共有していたり）、異なるものであったりする。
【０００５】
また、放送受信装置の利用者は、放送受信装置が受信した物理チャンネルだけでなく、物理チャンネルの下の階層の複数の編成チャンネルの中から特定の編成チャンネルを選択することができる。
【０００６】
例えば、特定の物理チャンネルまたは編成チャンネルの受信操作を装置の操作に利用されるリモコンに設けられたチャンネルボタンに割当てて、受信チャンネルの選択に利用する手法が一般に行なわれている。なお、特定の物理チャンネルをチャンネルボタンに割当てる場合、当該物理チャンネルが有する複数の編成チャンネルのうち最も小さいチャンネル番号の編成チャンネルを割当てることが一般的である。
【０００７】
すなわち、利用者は、リモコンに設けられたチャンネルボタンを押下などにより選択して、特定の物理チャンネルまたは編成チャンネルを放送受信装置が受信するように操作することが可能である。
【０００８】
ところが、例えば、利用者が物理チャンネル単位でチャンネルを切り替えると、切り替えられた物理チャンネルの特定の編成チャンネルのみが受信されるので、複数の編成チャンネルそれぞれで異なる番組が放送されている場合でも、利用者は、全ての編成チャンネルの番組を選択することができない。
【０００９】
また、利用者が編成チャンネル単位でチャンネルを切り替えると、全ての編成チャンネルが受信されるので、複数の編成チャンネルそれぞれで同一の番組が放送されている場合でも、同一の番組が連続して選択されることになる。
【００１０】
すなわち、利用者が物理チャンネルまたは編成チャンネルを効率よく選択することは困難であったので、利用者にとって利便性のよいチャンネル選択手法が望まれている。
【００１１】
例えば、特許文献１によれば、リモコンの特定のダイレクト選局キーの押下時に、現在選択されている編成チャンネルとイベント共有する編成チャンネルはスキップし、イベント共有していない編成チャンネルに切り替えるチャンネル選局操作の手法が公開されている。
【先行技術文献】
【特許文献】
【００１２】
【特許文献１】特開２００８−２６３５３４号公報  （図４  段落００４０）
【発明の概要】
【発明が解決しようとする課題】
【００１３】
ところが、特許文献１による手法は、リモコンの特定のダイレクト選局キーを順次押下している時に、現在選択されている編成チャンネルとイベント共有する編成チャンネルの有無に応じて、該当する編成チャンネルのスキップまたは選択を行なう手法であったので、編成チャンネルに関するイベント共有の有無が、ダイレクト選局キーの押下によって漸く利用者に報知されていた。
【００１４】
すなわち、編成チャンネルに係るイベント共有の有無に係る情報を利用者に利便性よく提示する手法ではなかった。
そこで、本発明は上述した課題を解決するために、編成チャンネルに係るイベント共有の有無に係る情報を利用者に利便性よく提示することができる放送受信装置および放送受信方法を提供することを目的とする。
【課題を解決するための手段】
【００１５】
本発明は上述した課題を解決するため、特定の物理チャンネルにおいて、複数の編成チャンネルとして放送される複数の番組データが多重化されて提供される放送データを取得する取得手段と、前記取得手段が取得する前記放送データに多重化される前記複数の番組データのうち、選択された編成チャンネルの番組データに基づいて番組の映像を出力する出力手段と、前記出力手段が出力する前記選択された編成チャンネルの前記番組の映像を表示している時に、前記選択された編成チャンネル以外に他の編成チャンネルがある場合、前記他の編成チャンネルに関する情報を前記映像と同時に提示する提示手段と、を具備することを特徴とするものである。
【００１６】
また本発明は上述した課題を解決するため、特定の物理チャンネルにおいて、複数の編成チャンネルとして放送される複数の番組データが多重化されて提供される放送データを取得し、取得した前記放送データに多重化される前記複数の番組データのうち、選択された編成チャンネルの番組データに基づいて番組の映像を出力し、出力した前記選択された編成チャンネルの前記番組の映像を表示している時に、前記選択された編成チャンネル以外に他の編成チャンネルがある場合、前記他の編成チャンネルに関する情報を前記映像と同時に提示する、ことを特徴とするものである。
【発明の効果】
【００１７】
本発明によれば、編成チャンネルに係るイベント共有の有無に係る情報を利用者に利便性よく提示することができる。
【図面の簡単な説明】
【００１８】
【図１】本発明の実施形態に係る放送受信装置であるテレビジョン受像機の構成を示すブロック図。
【図２】操作入力の情報に対応付けられた複数のキーが設けられたリモコンを示す図。
【図３】図１で説明した信号処理制御部およびメモリに備えられ、複数の処理を実行する各ブロックを説明するためのブロック図。
【図４】チャンネル情報の具体例を示す図。
【図５】図４で示したチャンネル情報に基づいた番組表の具体例の一部を示す図。
【図６】非イベント共有リストの具体例を示す図。
【図７】視聴中のチャンネルと同一の物理チャンネルが有する編成チャンネルに関する情報を提示する処理を説明するためのフローチャート。
【図８】表示器に表示される編成チャンネルに関する情報が提示される画面の例を示す図。
【図９】表示器に表示される編成チャンネルに関する情報が提示される画面の変形例を示す図。
【発明を実施するための形態】
【００１９】
以下、本発明における実施形態について図面を用いて説明する。
図１は、本発明の実施形態に係る放送受信装置であるテレビジョン受像機の構成を示すブロック図である。なお、本実施形態は、本発明に係る構成を適用した放送受信装置として、テレビジョン受像機を例とした形態であるが、本実施形態と同様の構造の、ＨＤＤレコーダ、ＤＶＤレコーダ、パーソナルコンピュータ、携帯移動端末などを例とした形態であっても構わない。またさらには、ラジオ放送やインターネット等を用いた有線放送などを受信する放送受信装置である、例えばセットトップボックスなどを例にしてもよい。
【００２０】
本実施形態に係るテレビジョン受像機１０は、放送波処理部２０、ネットワークＩＦ部３１、外部機器ＩＦ部３２、信号処理制御部４０、操作部５１、受光部５２、表示器６１、スピーカ６２、メモリ７１などで構成されている。
【００２１】
テレビジョン受像機１０は、放送波処理部２０、ネットワークＩＦ部３１、外部機器ＩＦ部３２などから、特定の放送局に係る物理チャンネルのデータを受信する。さらに、テレビジョン受像機１０は、この受信した物理チャンネル（以下、物理ＣＨとも称する）が有する、下の階層のチャンネルである編成チャンネル（以下、編成ＣＨとも称する）の中から特定の編成チャンネルのデータを出力し、この出力している編成チャンネル以外の他の編成チャンネルに関する情報を併せて表示器６１に提示する。
【００２２】
放送波処理部２０は、アンテナＡＴによって受信されたデジタル放送波やアナログ放送波の信号を取得して、この取得した信号に対して特定チャンネルの選局および復調復号処理を施し、番組の映像音声データや電子番組表（以下、ＥＰＧとも称する）を作成するためのデータなどを信号処理制御部４０に出力する。本実施形態では、放送波処理部２０は、デジタル放送波の特定の物理チャンネルが有する編成チャンネルに関するデータを信号処理制御部４０に出力する。
【００２３】
ネットワークＩＦ部３１は、インターネットや、ＬＡＮ、ＷＡＮなどのネットワークに接続し、この接続したネットワークを介して提供されるコンテンツの映像音声データやＥＰＧを生成するためのデータなどを取得して信号処理制御部４０へ出力する。また、ネットワークＩＦ部３１は、ＬＡＮなどにより外部ＨＤＤやメモリーカードなどの記録媒体に接続して、この接続した記録媒体との間でコンテンツの映像音声データなどを出力または入力する。なお、このネットワークＩＦ部３１は、接続したネットワークを介して提供される、特定の物理チャンネルが有する編成チャンネルに関するデータを取得して信号制御処理部４０へ出力する。
【００２４】
外部機器ＩＦ部３２は、ＵＳＢ規格やＩＥＥＥ１３９４規格などの様々な規格に準じた接続部により装置外部の機器に接続し、この接続した外部機器から提供されるコンテンツの映像音声データやＥＰＧを作成するためのデータなどを取得して信号処理制御部４０へ出力する。また、外部機器ＩＦ部３２は、ＵＳＢ規格やＩＥＥＥ１３９４規格などに準じた接続部により外部ＨＤＤやメモリーカードなどの記録媒体に接続して、この接続した記録媒体との間でコンテンツの映像音声データなどを出力または入力する。特に、外部機器ＩＦ部３２は、特定の物理チャンネルが有する編成チャンネルに関するデータなどを取得して信号制御処理部４０へ出力する。
【００２５】
操作部５１は、装置を操作する操作入力の情報を受信して信号処理制御部４０へ出力する。同様に受光部５２は、リモコンＲＣからの操作入力の情報を受光（受信）して信号処理制御部４０へ出力する。操作部５１またはリモコンＲＣは、特定の物理チャンネルが有する特定の編成チャンネルに対応付けられた選局キーなどが設けられ、この選局キーへの操作入力の情報を受信して信号処理制御部４０へ出力する。
【００２６】
信号処理制御部４０は、操作部５１または受光部５２からの特定のチャンネルに対応付けられた選局キーなどへの操作入力の情報に基づいて、放送波処理部２０やネットワークＩＦ部３１、外部機器ＩＦ部３２などに対して当該特定のチャンネルのデータを取得して出力するように制御する。また、信号処理制御部４０は、入力された当該特定のチャンネルの映像音声データなどに対して、ＭＰＥＧ符号化／復号化演算処理や、映像信号と音声信号の分離処理、入力データからの特定データ抽出処理、または圧縮されたデータの解凍処理などの様々な処理を施して表示器６１へ映像信号を出力し、スピーカ６２へ音声信号を出力する。なお、信号処理制御部４０はＣＰＵを備えていて、信号処理制御部４０自身に備えられた各モジュールや信号処理制御部４０自身に接続された各モジュールを利用して複数の処理の実行を制御する。
【００２７】
本実施形態では信号処理制御部４０は、放送波処理部２０やネットワークＩＦ部３１、外部機器ＩＦ部３２などから入力された特定の物理チャンネルが有する特定の編成チャンネルの番組のデータに所定の処理を施して表示器６１およびスピーカ６２へ出力し、さらに、この出力した番組のデータを放送する編成チャンネルが含まれる物理チャンネルが有する他の編成チャンネルに関する情報を併せて表示器６１へ出力する。
【００２８】
表示器６１は、信号処理制御部４０から入力された映像信号を表示する表示モジュールであって、例えばＬＣＤ（Liquid  Crystal  Display）などの薄型ディスプレイである。この表示器６１は、放送波処理部２０やネットワークＩＦ部３１、外部機器ＩＦ部３２などから取得された特定の物理チャンネルが有する編成チャンネルに関する情報を表示する。
【００２９】
スピーカ６２は、信号処理制御部４０から入力された音声信号を出力する。
メモリ７１は、信号処理制御部４０によって実行される複数の処理で利用する情報を記憶するための不揮発性の記憶媒体であって、例えばＥＥＰＲＯＭなどの半導体メモリやＨＤＤなどの磁気メモリである。本実施形態では、特定の物理チャンネルが有する編成チャンネルに関する情報を記憶する。なお、メモリ７１は、信号処理制御部４０の内部に半導体メモリとして備えられてもよい。
【００３０】
このような構成により、本発明の実施形態に係るテレビジョン受像機１０は、特定の物理チャンネルのデータを受信し、この受信した物理チャンネルの下の階層のチャンネルである編成チャンネルの中の特定の編成チャンネルで放送される番組のデータを出力し、この出力した番組のデータを放送する編成チャンネルが含まれる物理チャンネルが有する他の編成チャンネルに関する情報を併せて提示する。なお、これらの処理は主に信号処理制御部４０によって実行されるものである。
【００３１】
次に、図２により、図１で説明したリモコンＲＣに設けられた複数のキーを説明する。
図２は、操作入力の情報に対応付けられた複数のキーが設けられたリモコンＲＣを示す図である。
テレビジョン受像機１０の利用者は、リモコンＲＣに設けられた複数のキーのうち特定のキーを押下して、この押下されたキーに対応する操作入力の情報をリモコンＲＣから出力させて、テレビジョン受像機１０を操作する。なおリモコンＲＣは、操作入力の情報を、赤外線などを利用してテレビジョン受像機へ出力する。
【００３２】
ＭＥＮＵキー２０１は、各種メニュー画面を表示器６１に表示させるキーである。
ディスプレイキー２０２は、現在出力している映像の（編成）チャンネル番号などを定常的に表示させるか一時的に表示させるかを切り換えるためのキーである。
選局キー２０３の「１」から「１２」までのそれぞれの数字キーは、特定の周波数に係る物理チャンネルが有する特定の編成チャンネルを受信するためのキーである。すなわち、「１」〜「１２」の数字キーそれぞれに対して、任意の物理チャンネルまたは編成チャンネルを対応付けることが可能である。この対応付けには、利用者が任意に設定する手法や、装置が自動で対応付ける手法などが適宜適用される。
【００３３】
地上波キー２０４は、地上デジタル放送の受信を選択するためのキーであり、ＢＳキー２０５は、ＢＳ放送の受信を選択するためのキーであり、さらに、ＣＳキー２０６は、ＣＳ放送の受信を選択するためのキーである。これらのキーの押下により、テレビジョン受像機１０は、対応するチューナまたは処理ブロックを利用してデータを受信するように操作される。
【００３４】
上下キー２０７は、画面上の特定の項目が選択されていることを示すカーソルを、画面上で上下に移動させるためのキーである。
エンターキー２０８は、画面上のカーソルによって指示されている項目の選択の決定を行なうためのキーである。
すなわち、利用者は、上下キー２０７でカーソルを移動させて、エンターキー２０８で選択した項目の確定を行なうことができる。
チャンネルアップダウンキー２０９は、チャンネル番号を「＋１」するチャンネルアップキー、および、チャンネル番号を「−１」するチャンネルダウンキーを備える。なお、チャンネルアップまたはチャンネルダウンは、物理チャンネルまたは編成チャンネル単位で行なわれる。
【００３５】
また、リモコンＲＣには他にも多数のキーが備えられているが、これらのキーの説明は省略する。
なお、リモコンＲＣに設けられたキーと同等のキーが、操作部５１に設けられていても構わない。
すなわち、テレビジョン受像機１０の利用者は、リモコンＲＣなどに設けられたキーを押下して、特定の編成チャンネルの受信や、出力した番組のデータを放送する編成チャンネルが含まれる物理チャンネルが有する他の編成チャンネルに関する情報の提示などの動作を行なうように、テレビジョン受像機１０を操作する。
【００３６】
次に、図３を用いて、特定の編成チャンネルの番組のデータを出力する処理、および、出力した番組のデータを放送する編成チャンネルが含まれる物理チャンネルが有する他の編成チャンネルに関する情報を提示する処理などを実行する各ブロックによるシステム構成を説明する。
【００３７】
図３は、図１で説明した信号処理制御部４０およびメモリ７１に備えられ、複数の処理を実行する各ブロックを説明するためのブロック図である。
信号処理制御部４０は、チャンネル選択部３０１、ＴＳ処理部３０２、チャンネル情報抽出部３０３、ＯＳＤ生成部３０４、編成チャンネル分析部３０５、を備えている。また、メモリ７１は、チャンネル情報記憶部３１１、非イベント共有リスト記憶部３１２を備えている。
【００３８】
チャンネル情報記憶部３１１は、リモコンＲＣなどの選局キー２０３のそれぞれの数字キーと対応付けられた選局キー情報と、特定のチャンネルに関する物理チャンネル番号や、放送局名、受信周波数、編成チャンネルの有無および編成チャンネル番号などのチャンネル情報とを関連付けて記憶する。
【００３９】
非イベント共有リスト記憶部３１２は、特定の物理チャンネルが有する複数の編成チャンネルそれぞれが放送する番組のイベント共有に関する情報に基づいた非イベント共有リストを記憶する。
【００４０】
チャンネル選択部３０１は、操作部５１または受光部５２などから入力された、特定のチャンネルを受信する操作入力の情報に基づいて、チャンネル情報記憶部３１１に記憶されているチャンネル情報を参照し、放送波処理部２０やネットワークＩＦ部３１、外部機器ＩＦ部３２などに対して当該特定の物理チャンネルのデータを取得して出力するように要求する。また、チャンネル選択部３０１は、入力された特定の物理チャンネルのデータの中から、特定の編成チャンネルの番組のデータを出力するように、ＴＳ処理部３０２に要求する。さらに、チャンネル選択部３０１は、操作部５１またはリモコンＲＣなどに設けられた選局キー２０３の数字キーに関する選局キー情報と、特定の物理チャンネルまたは編成チャンネルに関するチャンネル情報とを対応付けてチャンネル情報記憶部３１１に記憶する。
【００４１】
ＴＳ処理部３０２は、チャンネル選択部３０１からの要求に基づいて、放送波処理部２０やネットワークＩＦ部３１、外部機器ＩＦ部３２などから入力された特定の物理チャンネルのデータの中の、特定の編成チャンネルの番組のデータに対して復調や復号などの所定の処理を行い、表示器６１へ映像信号を出力し、スピーカ６２へ音声信号を出力する。
【００４２】
チャンネル情報抽出部３０３は、放送波処理部２０やネットワークＩＦ部３１、外部機器ＩＦ部３２などから入力されたデータから、物理チャンネル番号や、放送局名、受信周波数、編成チャンネルの有無およびチャンネル番号などのチャンネル情報を抽出して、チャンネル情報記憶部３１１に記憶する。さらに、チャンネル情報抽出部３０３は、入力されたデータから複数の編成チャンネルが放送する番組に関する番組関連情報を抽出して、編成チャンネル分析部３０５に出力する。
【００４３】
なお、チャンネル情報は、放送波処理部２０やネットワークＩＦ部３１、外部機器ＩＦ部３２などから入力されたデータを復調して生成されるＴＳパケットから、ＰＳＩ（Program Specific Information；番組特定情報）やＳＩ（Service Information；番組配列情報）などの情報を抽出し、この抽出された情報の解析により得ることができる。
【００４４】
ＯＳＤ生成部３０４は、編成チャンネル分析部３０５から入力された編成チャンネルに関する情報に基づいて、現在出力している編成チャンネルを含み、当該編成チャンネルが含まれる物理チャンネルが有する他の編成チャンネルに関する情報を提示するＯＳＤを生成して表示器６１に出力する。すなわち、表示器６１には、現在受信して出力している編成チャンネルが放送する番組の映像と併せて、ＯＳＤ生成部３０４が出力したＯＳＤが表示される。
【００４５】
編成チャンネル分析部３０５は、チャンネル情報記憶部３１１に記憶されたチャンネル情報、および、チャンネル情報抽出部３０３から入力された、編成チャンネルごとの放送番組に関する番組関連情報に基づいて、編成チャンネル同士のイベント共有の状態を監視して分析し、非イベント共有リストを生成して非イベント共有リスト記憶部３１２に記憶する。また、編成チャンネル分析部３０５は、非イベント共有リスト記憶部３１２から読み出した非イベント共有リストに基づいて、編成チャンネルに関する情報をＯＳＤ生成部３０４に出力する。
【００４６】
このようなシステムの構成により、主に本発明の実施形態に係る信号処理制御部４０は、特定の編成チャンネルの受信する処理、および、出力した番組のデータを放送する編成チャンネルが含まれる物理チャンネルが有する他の編成チャンネルに関する情報を提示する処理などを実行する。
【００４７】
次に、図４に示すチャンネル情報の具体例を示す図により、チャンネル情報記憶部３１１に記憶されるチャンネル情報を説明する。
チャンネル情報には、リモコンＲＣなどの選局キー２０３の数字キーと対応付けられた選局キー情報として、それぞれの数字キーと対応する数値情報「１」〜「１２」が定義されている。さらに、それぞれの選局キー情報には、個々の放送局に割り当てられたチャンネル番号である物理チャンネル番号、放送局名、当該放送局の放送に係る（送受信）周波数、さらに、当該物理チャンネルの下の階層チャンネルの番号である編成チャンネル番号などの情報が対応付けられている。
【００４８】
具体的には、例えば、選局キー２０３の数字キー「１」に対応する数値情報“１”に対して、（送受信）周波数が“＃０１”［ＭＨｚ］で放送される物理チャンネル番号“２７”の放送局名“放送局１”が対応付けられている。なお、この物理チャンネルは、下の階層チャンネルとして編成チャンネル“０１１”，“０１２”，“０１３”を有するので、数字キー「１」には、さらに、３つの編成チャンネル番号“０１１”，“０１２”，“０１３”も対応付けられている。
【００４９】
また例えば、地上デジタル放送においては、１つの物理チャンネルは、テレビジョン受像機に向けた放送番組として最大８つの編成チャンネルでマルチ編成できる規格となっている。したがって、特定の時間帯において、“放送局２”や“放送局１２”のように２つの編成チャンネルを有している放送局、“放送局１”や“放送局４”のように３つの編成チャンネルを有している放送局、さらには、“放送局３”のように８つの編成チャンネルを有している放送局などが同時に存在する。
【００５０】
すなわち、各物理チャンネルが有する編成チャンネルの数量は、それぞれの物理チャンネルごとに異なっていて、固定数量となるものではない。
次に、図５を用いて、図４で示したチャンネル情報に基づいた番組表を説明する。図５は、図４で示したチャンネル情報に基づいた番組表の具体例の一部を示す図である。
【００５１】
なお、図５に示した番組表は、“放送局１”の編成チャンネル“０１１”，“０１２”，“０１３”それぞれで、０８：００から１１：００までに放送される番組を時系列に提示したものである。
【００５２】
具体的には、０８：１０の時点では、編成チャンネル“０１１”，“０１２”，“０１３”の全てで、番組１（ゴルフ）が放送されていて、つまり、編成チャンネル“０１１”，“０１２”，“０１３”はイベント共有している。
【００５３】
また、０９：１０の時点では、“０１１”では番組２（サッカー）、“０１２”，“０１３”の２つのチャンネルでは番組３（ドラマ）が放送されていて、つまり、“０１２”，“０１３”はイベント共有している。
【００５４】
さらに、１０：４０の時点では、“０１１”では番組２（サッカー）、“０１２” では番組４（ニュース），“０１３”では番組５（映画）が放送されていて、つまり、３つの編成チャンネルはイベント共有していない。
【００５５】
すなわち、図５に示した番組表のように、特定の物理チャンネルが有する複数の編成チャンネルでは、同一の番組を放送（イベント共有）したり、異なる番組を放送したりするので、編成チャンネルにおけるイベント共有の状態は時間帯によって変化するものである。
【００５６】
次に、図６を用いて、編成チャンネル分析部３０５によって更新され非イベント共有リスト記憶部３１２に記憶される非イベント共有リストを説明する。図６は、非イベント共有リストの具体例を示す図である。
【００５７】
なお非イベント共有リストは、特定の物理チャンネルが有する複数の編成チャンネルを、現在放送している番組の内容に基づいてグループに区分けして、この区分けされたグループごとの代表チャンネルを決定して編成チャンネル番号と対応付けたリストである。すなわち、非イベント共有リストは、イベント共有していない編成チャンネルが特定されたリストである。
【００５８】
具体的には、図６は、（送受信）周波数が“＃０１”［ＭＨｚ］で放送される物理チャンネル番号“２７”の放送局名“放送局１”に関する非イベント共有リストの具体例を示している。なお、物理チャンネル“２７”（の“放送局１“）は、３つの編成チャンネル“０１１”〜“０１３”を有している。
【００５９】
図６（ａ）は、図５における０８：１０の時点の例であり、編成チャンネル“０１１”〜“０１３”で番組１が放送されている状態である。まず、編成チャンネル分析部３０５は、編成チャンネル同士のイベント共有の状態を監視して分析し、３つの編成チャンネルをグループに区分けする。そして、編成チャンネル分析部３０５は、グループのうちチャンネル番号が一番小さい編成チャンネルを代表チャンネルとした非イベント共有リストを生成する。すなわち、１つの番組をイベント共有している３つの編成チャンネルからなるグループの代表チャンネルである、編成チャンネル“０１１”に番号が付された非イベント共有リストが生成されて非イベント共有リスト記憶部３１２に記憶される。
【００６０】
次に、図６（ｂ）は、図５における０９：１０の時点の例であり、編成チャンネル“０１１”では番組２、編成チャンネル“０１２”〜“０１３”では番組３が放送されている状態である。このとき、編成チャンネル分析部３０５は、図６（ａ）と同様に、編成チャンネル同士のイベント共有の状態を監視して分析し、２つの番組それぞれをイベント共有している編成チャンネルのグループごとの代表チャンネルである、編成チャンネル“０１１”，“０１２”それぞれに順番に番号を付した非イベント共有リストを生成して、非イベント共有リスト記憶部３１２に記憶する。
【００６１】
さらに、図６（ｃ）は、図５における１０：４０の時点の例であり、編成チャンネル“０１１”では番組２、編成チャンネル“０１２” では番組４、編成チャンネル“０１３”では番組５が放送されている状態である。このとき、編成チャンネル分析部３０５は、図６（ａ），（ｂ）と同様に、編成チャンネル同士のイベント共有の状態を監視して分析し、３つの番組それぞれをイベント共有している編成チャンネルのグループごとの代表チャンネルである、編成チャンネル“０１１”，“０１２” ，“０１３”それぞれに順番に番号を付した非イベント共有リストを生成して、非イベント共有リスト記憶部３１２に記憶する。
【００６２】
なお、編成チャンネル分析部３０５が、イベント共有している編成チャンネルのグループごとの代表チャンネルそれぞれに順番に番号を付した非イベント共有リストを生成する実施形態を説明したが、順番に番号を付すのではなく、単に識別可能な識別子を付した非イベント共有リストを生成する実施形態であってもよい。
【００６３】
すなわち、編成チャンネル分析部３０５は、現在の編成チャンネル同士のイベント共有の状態を監視して分析し、編成チャンネルごとのイベント共有の有無を確認し、非イベント共有リストを更新する。
【００６４】
次に、図７を用いて、視聴中のチャンネルと同一の物理チャンネルが有する編成チャンネルに関する情報を提示する処理を説明する。
図７は、視聴中のチャンネルと同一の物理チャンネルが有する編成チャンネルに関する情報を提示する処理を説明するためのフローチャートである。
まず、チャンネル選択部３０１は、操作部５１またはリモコンＲＣなどに設けられた選局キー２０３の特定の数字キーが押下されたか否かを判断する（Ｓ７０１）。この判断の結果、押下されたと判断された場合（Ｓ７０１のＹ）、チャンネル選択部３０１は、チャンネル情報記憶部３１１を参照して、押下された数字キーに対して、現在、表示器６１に表示されている番組を放送している物理チャンネル番号または編成チャンネル番号が対応付けられているか否かを判断する（Ｓ７０２）。
【００６５】
なお、この判断により、対応付けられていると判断された場合（Ｓ７０２のＹ）、チャンネル選択部３０１は、現在、表示されている番組を放送している編成チャンネル番号に基づいて、チャンネル情報記憶部３１１を参照して、押下された数字キーに対応付けられた編成チャンネルの中から所定の順序で特定の編成チャンネルを選択して切り替える（Ｓ７０３）。そして、チャンネル情報抽出部３０３は、入力されたデータからチャンネル情報を新たに抽出して、チャンネル情報記憶部３１１に新たに記憶、すなわち更新する（Ｓ７０５）。
【００６６】
一方、押下された数字キーに対応付けられたチャンネルの有無の判断（Ｓ７０２）の結果、対応付けられていないと判断された場合（Ｓ７０２のＮ）、チャンネル選択部３０１は、現在、表示されている番組を放送している編成チャンネル番号に基づいて、チャンネル情報記憶部３１１を参照して、押下された数字キーに対応付けられた物理チャンネルを特定する。さらに、チャンネル選択部３０１は、特定した物理チャンネルが有する編成チャンネルのうち、チャンネル番号が一番小さい編成チャンネルである主チャンネルを選択して切り替える（Ｓ７０４）。そして、チャンネル情報抽出部３０３は、入力されたデータからチャンネル情報を新たに抽出して、チャンネル情報記憶部３１１を更新する（Ｓ７０５）。
【００６７】
なお、特定の数字キーの押下の有無の判断（Ｓ７０１）の結果、押下されていないと判断された場合（Ｓ７０１のＮ）、チャンネル情報抽出部３０３は、現在、表示されている番組を放送している物理チャンネルの番組編成が変更されたか否かを判断する（Ｓ７１０）。この判断の結果、変更されていないと判断された場合（Ｓ７１０のＮ）、再び、特定の数字キーの押下の有無の判断（Ｓ７０１）を実行する。一方、番組編成の変更有無の判断（Ｓ７１０）の結果、変更されたと判断された場合（Ｓ７１０のＹ）、チャンネル情報抽出部３０３は、入力されたデータからチャンネル情報を新たに抽出して、チャンネル情報記憶部３１１を更新する（Ｓ７０５）。
【００６８】
そして、いずれかの処理手順で、チャンネル情報抽出部３０３が、チャンネル情報記憶部３１１を更新する（Ｓ７０５）と、編成チャンネル分析部３０５は、チャンネル情報記憶部３１１を参照して、現在、表示器６１に表示されている番組を放送している物理チャンネルが、複数の編成チャンネルを有しているか否かを判断する（Ｓ７０６）。
【００６９】
そして、複数の編成チャンネルを有しているか否かの判断（Ｓ７０６）の結果、有していると判断された場合（Ｓ７０６のＹ）、編成チャンネル分析部３０５は、チャンネル情報記憶部３１１に記憶されたチャンネル情報および、チャンネル情報抽出部３０３から入力された番組関連情報に基づいて、イベント共有している編成チャンネルを同一のグループに区別する（Ｓ７０７）。
【００７０】
そして、編成チャンネル分析部３０５は、区別したグループごとの代表となる編成チャンネル番号を特定して非イベント共有リストを新たに生成し、非イベント共有リスト記憶部３１２に対して、この新たに生成した非イベント共有リストを更新する（Ｓ７０８）。さらに、編成チャンネル分析部３０５は、非イベント共有リスト記憶部３１２を参照して非イベント共有リストを読み出し、この読み出した非イベント共有リストに基づいて、編成チャンネルに関する情報をＯＳＤ生成部３０４に出力する。そして、ＯＳＤ生成部３０４が、編成チャンネル分析部３０５から入力された編成チャンネルに関する情報に基づいて、該当する編成チャンネルに関する情報を提示するＯＳＤを生成して表示器６１に出力し、表示器６１はこのＯＳＤを表示する（Ｓ７０９）。
【００７１】
なお、図７により説明した動作は、リモコンＲＣなどに設けられたディスプレイキー２０２の押下により、動作の有効または無効が切り替えられる実施形態であってもよい。また、図７により説明した動作は、リモコンＲＣなどに設けられたＭＥＮＵキー２０１の押下により表示される、各種メニュー画面への操作入力により開始するようにしてもよい。
【００７２】
すなわち、このような動作により、視聴中のチャンネルと同一の物理チャンネルが有する編成チャンネルに関する情報を提示する処理は実行される。
次に、図８を用いて、表示器６１に表示される編成チャンネルに関する情報が提示される画面を説明する。
図８は、表示器６１に表示される編成チャンネルに関する情報が提示される画面の例を示す図であり、図５に示した“放送局１”の番組表に基づいて、編成チャンネル“０１１”，“０１２”，“０１３”それぞれを受信しているときに、特定の時間ごとに表示されるそれぞれの画面の例を示す図である。
【００７３】
具体的には、０８：１０時点では、編成チャンネル“０１１”，“０１２”，“０１３”の全てで、番組１（ゴルフ）が放送されていて、これらの３つの編成チャンネルはイベント共有している状態である。この時点で表示される画面は、それぞれの編成チャンネルで受信した番組１（ゴルフ）の映像に、それぞれの編成チャンネル番号が重畳されて提示された画面となる。
【００７４】
また、０９：１０の時点では、“０１１”では番組２（サッカー）、“０１２”，“０１３”の２つのチャンネルでは番組３（ドラマ）が放送されていて、 “０１２”，“０１３”はイベント共有している状態である。
【００７５】
この時点では、編成チャンネル“０１１”を受信しているときには、番組２（サッカー）の映像に、現在受信して出力している編成チャンネル番号である“０１１”と、番組３（ドラマ）をイベント共有している２つの編成チャンネルのうち、チャンネル番号が一番小さい編成チャンネル番号である“０１２”が重畳されて提示されている。なお、現在受信して出力している編成チャンネル番号である“０１１”が提示される領域は、異なる背景色や輪郭強調などにより識別可能に区別されている。
【００７６】
また、編成チャンネル“０１２”を受信しているときには、番組３（ドラマ）の映像に、現在受信して出力している編成チャンネル番号である“０１２”と、番組２（サッカー）をイベント共有している１つの編成チャンネル番号である“０１１”が重畳されて提示されている。なお、現在受信して出力している編成チャンネル番号である“０１２” が提示される領域は、異なる背景色や輪郭強調などにより識別可能に区別されている。
【００７７】
なお、編成チャンネル“０１３”を受信しているときは、編成チャンネル“０１２”を受信しているときと、ほぼ同様なので説明は省略するが、現在受信して出力している編成チャンネル番号である“０１３”が区別されて提示される点で異なる。
【００７８】
そして、１０：４０の時点では、“０１１”では番組２（サッカー）、“０１２” では番組４（ニュース），“０１３”では番組５（映画）が放送されていて、つまり、３つの編成チャンネルはイベント共有していない状態である。
【００７９】
この時点では、編成チャンネル“０１１”を受信しているときには、番組２（サッカー）の映像に、現在受信して出力している編成チャンネル番号である“０１１”と、番組４（ニュース）をイベント共有している１つの編成チャンネル番号である“０１２”と、番組５（映画）をイベント共有している１つの編成チャンネル番号である“０１２”とが重畳されて提示されている。なお、現在受信して出力している編成チャンネル番号である“０１１”が提示される領域は、異なる背景色や輪郭強調などにより識別可能に区別されている。
【００８０】
また、編成チャンネル“０１２”を受信しているときは、編成チャンネル“０１１”を受信しているときと、ほぼ同様なので説明は省略するが、番組４（ニュース）の映像である点、および、現在受信して出力している編成チャンネル番号である“０１２”が区別されて提示される点、で異なる。
【００８１】
さらに、編成チャンネル“０１３”を受信しているときも、編成チャンネル“０１１”を受信しているときと、ほぼ同様なので説明は省略するが、番組５（映画）の映像である点、および、現在受信して出力している編成チャンネル番号である“０１３”が区別されて提示される点、で異なる。
【００８２】
なお、本実施形態にかかるテレビジョン受像機１０の利用者は、それぞれの画面で識別可能に区別されて提示され、現在受信して出力している編成チャンネル番号を示すカーソルを、リモコンＲＣなどに設けられた上下キー２０７およびエンターキー２０８を利用して、他の編成チャンネル番号を選択してチャンネルを切り替えることも可能である。
【００８３】
すなわち、表示器６１に表示される編成チャンネルに関する情報が提示される画面では、現在受信して出力している番組の映像に重畳して、現在出力している編成チャンネル番号、および、現在出力している番組と異なる番組をイベント共有してる他の編成チャンネルのグループのうち、チャンネル番号が一番小さい編成チャンネル番号、がＯＳＤで提示されている。
【００８４】
（変形例）
次に、図９を用いて、表示器６１に表示される編成チャンネルに関する情報が提示される画面を説明する。
図９は、表示器６１に表示される編成チャンネルに関する情報が提示される画面の変形例を示す図であり、図８と同様に、図５に示した“放送局１”の番組表に基づいて、編成チャンネル“０１１”，“０１２”，“０１３”それぞれを受信しているときに、特定の時間ごとに表示される画面の例を示す図である。
【００８５】
以下、具体的に説明する。
まず０８：１０時点では、図８に示した画面と同様であるので説明は省略する。
なお、０９：１０の時点で、編成チャンネル“０１１”を受信しているときには、番組２（サッカー）の映像と、現在受信して出力している編成チャンネル番号である“０１１”と、さらに、番組３（ドラマ）の映像と、この番組３（ドラマ）をイベント共有している２つの編成チャンネルのうち、チャンネル番号が一番小さい編成チャンネル番号である“０１２”とが提示されている。なお、現在受信して出力している編成チャンネル番号である“０１１”が提示される領域は、異なる背景色や輪郭強調などにより識別可能に区別されている。
【００８６】
また、編成チャンネル“０１２”を受信しているとき、および、編成チャンネル“０１３”を受信しているときも、編成チャンネル“０１１”を受信しているときとほぼ同様であるので説明を省略する。
【００８７】
すなわち、０９：１０の時点では、複数の編成チャンネルで放送している番組は２つあり、この２つの番組の映像が、それぞれの番組を放送する編成チャンネル番号と共に提示される。
【００８８】
そして、１０：４０の時点で、編成チャンネル“０１１”を受信しているときには、番組２（サッカー）の映像と、現在受信して出力している編成チャンネル番号である“０１１”と、番組４（ニュース）の映像と、この番組４（ニュース）をイベント共有している１つの編成チャンネル番号である“０１２”と、番組５（映画）の映像と、番組５（映画）をイベント共有している１つの編成チャンネル番号である“０１２”とが提示されている。なお、現在受信して出力している編成チャンネルである“０１１”が提示される領域は、異なる背景色や輪郭強調などにより識別可能に区別されている。
【００８９】
また、編成チャンネル“０１２”を受信しているとき、および、編成チャンネル“０１３”を受信しているときも、編成チャンネル“０１１”を受信しているときとほぼ同様であるので説明を省略する。
【００９０】
すなわち、１０：４０の時点では、複数の編成チャンネルで放送している番組は３つあり、この３つの番組の映像が、それぞれの番組を放送する編成チャンネル番号と共に提示される。
【００９１】
したがって、図９に示す画面は、編成チャンネル番号と共に、当該編成チャンネル番号で放送される番組の映像も併せて提示される点で、図８の画面とは異なる。
なお、現在受信して出力している編成チャンネルの映像が、他の映像よりも大きく表示して区別できるようにした実施例を説明したが、他の映像と同じ大きさでもよい。また、映像を提示する領域のレイアウトは、本実施例に限定されるものではない。
【００９２】
以上説明したように本実施形態によれば、現在のチャンネル情報に基づいて、同一の物理チャンネルに係る編成チャンネル同士のイベント共有の状態が監視、分析されて、異なる番組を放送している編成チャンネル番号が提示されるので、編成チャンネルに係るイベント共有の有無に係る情報を利用者に利便性よく提示することができる。
【００９３】
また本発明は、上述した実施形態に限定されるものではなく、本発明の要旨を変えない範囲において、種々の変更、改変等が可能である。
【符号の説明】
【００９４】
１０…テレビジョン受像機、２０…放送波処理部、３１…ネットワークＩＦ部、３２…外部機器ＩＦ部、４０…信号処理制御部、５１…操作部、５２…受光部、６１…表示器、６２…スピーカ、７１…メモリ、ＲＣ…リモコン、３０１…チャンネル選択部、３０２…ＴＳ処理部、３０３…チャンネル情報抽出部、３０４…ＯＳＤ生成部、３０５…編成チャンネル分析部、３１１…チャンネル情報記憶部、３１２…非イベント共有リスト記憶部、
【図１】
2011035629.tif 000003
【図２】
2011035629.tif 000004
【図３】
2011035629.tif 000005
【図４】
2011035629.tif 000006
【図５】
2011035629.tif 000007
【図６】
2011035629.tif 000008
【図７】
2011035629.tif 000009
【図８】
2011035629.tif 000010
【図９】
2011035629.tif 000011